(57)【要約】      （修正有）【課題】快速組付けの実用効果が達成されるサーフボードの舵具組付け装置の提供。【解決手段】サーフボードの底面に係止装置が設けられ、係止装置に所定深さの嵌合溝が設けられ、並びに嵌合溝の上面位置に所定ピッチで位置制限凸塊が分布し、舵具の底面に係合装置が設けられ、係合装置に所定ピッチで係止ブロックが設けられ、舵具組付け時に、係合装置が係止装置の嵌合溝中に挿入され、係合装置の係止ブロックが嵌合溝上面の位置制限凸塊に対応し、係合装置が嵌合溝内に位置制限され、舵具の組付け、位置決めが完成する。【選択図】図３
0003109821.tif 000002
【実用新案登録請求の範囲】
【請求項１】
係止装置と舵具を具えたサーフボードの舵具組付け装置であり、
該係止装置はサーフボードの底面に固定され、該係止装置に所定深さ及び幅の嵌合溝が開設され、該嵌合溝の上面位置に位置制限凸塊が設けられ、
該舵具は底面に係止ブロックが設けられ、該係止ブロックが係止装置の嵌合溝内に挿入されて舵具が押動された後、係止ブロックがスライドして係止装置の位置制限凸塊に対応し、係止位置決めされることを特徴とする、サーフボードの舵具組付け装置。
【請求項２】
請求項１記載のサーフボードの舵具組付け装置において、係止装置の嵌合溝の上面に対をなすように位置制限凸塊が凸設され、二つの位置制限凸塊の間に所定の開口距離が保持されたことを特徴とする、サーフボードの舵具組付け装置。
【請求項３】
請求項２記載のサーフボードの舵具組付け装置において、位置制限凸塊が所定のピッチを以て嵌合溝の上面位置に分布することを特徴とする、サーフボードの舵具組付け装置。
【請求項４】
請求項１記載のサーフボードの舵具組付け装置において、舵具の底面より係合装置が延伸され、係合装置の両側に係止ブロックが設けられたことを特徴とする、サーフボードの舵具組付け装置。
【請求項５】
請求項４記載のサーフボードの舵具組付け装置において、係合装置両側の係止ブロックが所定のピッチを以て係合装置に配設されたことを特徴とする、サーフボードの舵具組付け装置。
【請求項６】
請求項１記載のサーフボードの舵具組付け装置において、舵具底面の係止ブロックが、舵具が押動された後に係止装置の嵌合溝と緊密に組合せられることを特徴とする、サーフボードの舵具組付け装置。
【請求項７】
請求項１記載のサーフボードの舵具組付け装置において、舵具が押動、位置決めされる時、係止ブロックが位置制限凸塊の下方の嵌合溝内において、位置制限凸塊の係止を受けることを特徴とする、サーフボードの舵具組付け装置。
【考案の詳細な説明】
【技術分野】
【０００１】
本考案はスライド式に位置を合わせて係止できる構造を利用し、サーフボードの舵具を速やかに組付けられるサーフボードの舵具組付け装置に関する。
【背景技術】
【０００２】
現在、サーフィンは相当に人気のある海上の屋外運動であり、サーフボードは造形上、不断に新製品が提供されているほか、使用の機能性に対しても改良が加えられている。図１はサーフボード１に良好な破水導流作用を具備させ、サーフィン時に良好な安定性を具備するようにするために、サーフボード１の底面に複数のフィン造形の舵具２が取り付けられ、人体でサーフィン方向を操作できるものとされている。舵具２は組付けの方式でサーフボードの底面より突出するよう取り付けられ、これにより不使用時には使用者は舵具２を取り外して携帯でき、使用時に現場で組付けることができ、ゆえに組付け作業の便利性は相当に重要である。図２は特許文献１に記載の技術であり、それはサーフボード１の底面に複数の受け孔１１が設けられて位置決め装置３が固定され、各位置決め装置３に挿入溝３１が凹設され、並びに挿入溝３１の両側に斜めに挿入溝３１を貫通するネジ孔３２が設けられ、ボルト４の螺合に供され、舵具２の底面の位置決め装置３の挿入溝３１に対応する位置に嵌合ブロック２１が凸設され、舵具２組付け時に、舵具２の嵌合ブロック２１が位置決め装置３の挿入溝３１中に挿入され、並びに手持工具でボルト４が内向きにねじ込まれ、且つ嵌合ブロック２１の側面に圧接するものとされ、これにより舵具２がサーフボード１の底面に組付けられ位置決めされる。舵具２を取り外す時もまた手持工具でボルト４を回して外し、嵌合ブロック２１に対する圧接を解除して舵具２とサーフボード１を分離する。しかしこの舵具とサーフボードの位置決め方式はボルトの圧接による位置決めであり、組付け或いは取り外し作業のいずれにも手持工具によりボルトを回さねばならず、着脱作業に相当に不便で、位置決め用のボルトはその圧接面積が小さく、舵具２の嵌合ブロック２１を傷つけやすく、且つ圧接力が小さく、ゆえに改善が求められる。
【０００３】
【特許文献１】米国特許第５，４６４，３５９号明細書
【考案の開示】
【考案が解決しようとする課題】
【０００４】
本考案の主要な目的は、一種のサーフボードの舵具組付け装置を提供することにあり、それはサーフボードの底面に係止装置が設けられ、該係止装置に所定深さの嵌合溝が開設され、並びに嵌合溝の上面位置に所定ピッチで位置制限凸塊が分布し、舵具の底面に係合装置が設けられ、該係合装置に所定ピッチで係止ブロックが設けられ、舵具組付け時に、係合装置が係止装置の嵌合溝中に挿入され、係合装置の係止ブロックが嵌合溝上面の位置制限凸塊に対応し、係合装置が嵌合溝内に位置制限され、舵具の組付け、位置決めが完成し、これにより快速組付けの実用効果が達成されるものとする。
【０００５】
本考案のもう一つの目的は、一種のサーフボードの舵具組付け装置を提供することにあり、それは、舵具組付け時に、係合装置を係止装置の嵌合溝中に挿入し並びに後ろ向きに押動し、この後ろ向きの押動の方向は水流の方向と同じであり、これにより舵具が水流の衝撃を受けてスライドして脱落することがなく、却って係止状態を強めることができるものとする。
【０００６】
本考案の更にもう一つの目的は、一種のサーフボードの舵具組付け装置を提供することにあり、それは、舵具組付け位置決め時に係合装置の係止ブロックが嵌合溝上面の位置制限凸塊に圧接し、係合装置が嵌合溝内に位置制限される時、複数の係止ブロックが面で圧接する方式とされ、係止面積が増され、これにより舵具組付け結合の係止力が強化されるものとする。
【課題を解決するための手段】
【０００７】
請求項１の考案は、係止装置と舵具を具えたサーフボードの舵具組付け装置であり、
該係止装置はサーフボードの底面に固定され、該係止装置に所定深さ及び幅の嵌合溝が開設され、該嵌合溝の上面位置に位置制限凸塊が設けられ、
該舵具は底面に係止ブロックが設けられ、該係止ブロックが係止装置の嵌合溝内に挿入されて舵具が押動された後、係止ブロックがスライドして係止装置の位置制限凸塊に対応し、係止位置決めされることを特徴とする、サーフボードの舵具組付け装置としている。
請求項２の考案は、請求項１記載のサーフボードの舵具組付け装置において、係止装置の嵌合溝の上面に対をなすように位置制限凸塊が凸設され、二つの位置制限凸塊の間に所定の開口距離が保持されたことを特徴とする、サーフボードの舵具組付け装置としている。
請求項３の考案は、請求項２記載のサーフボードの舵具組付け装置において、位置制限凸塊が所定のピッチを以て嵌合溝の上面位置に分布することを特徴とする、サーフボードの舵具組付け装置としている。
請求項４の考案は、請求項１記載のサーフボードの舵具組付け装置において、舵具の底面より係合装置が延伸され、係合装置の両側に係止ブロックが設けられたことを特徴とする、サーフボードの舵具組付け装置としている。
請求項５の考案は、請求項４記載のサーフボードの舵具組付け装置において、係合装置両側の係止ブロックが所定のピッチを以て係合装置に配設されたことを特徴とする、サーフボードの舵具組付け装置としている。
請求項６の考案は、請求項１記載のサーフボードの舵具組付け装置において、舵具底面の係止ブロックが、舵具が押動された後に係止装置の嵌合溝と緊密に組合せられることを特徴とする、サーフボードの舵具組付け装置としている。
請求項７の考案は、請求項１記載のサーフボードの舵具組付け装置において、舵具が押動、位置決めされる時、係止ブロックが位置制限凸塊の下方の嵌合溝内において、位置制限凸塊の係止を受けることを特徴とする、サーフボードの舵具組付け装置としている。
【考案の効果】
【０００８】
本考案のサーフボードの舵具組付け装置は、サーフボードの底面に係止装置が設けられ、該係止装置に所定深さの嵌合溝が設けられ、並びに嵌合溝の上面位置に所定ピッチで位置制限凸塊が分布し、舵具の底面に係合装置が設けられ、該係合装置に所定ピッチで係止ブロックが設けられ、舵具組付け時に、係合装置が係止装置の嵌合溝中に挿入され、係合装置の係止ブロックが嵌合溝上面の位置制限凸塊に対応し、係合装置が嵌合溝内に位置制限され、舵具の組付け、位置決めが完成し、これにより快速組付けの実用効果が達成される。
【考案を実施するための最良の形態】
【０００９】
図３、４に示されるように、本考案のサーフボード５の底面には複数の受け孔５１が開設され、別に複数の係止装置６が周囲に結合剤が塗布された後に受け孔５１内に圧入され、係止装置６がサーフボード５の底面に固定される。そのうち、各係止装置６に所定深さ、幅及び長さの嵌合溝６１が凹設され、並びに嵌合溝６１の上面位置に所定のピッチで複数組の、対向するよう凸設された位置制限凸塊６２、６３が設けられ、並びに二つの位置制限凸塊６２、６３の間に開口距離が設けられている。舵具７の底面より係合装置７１が延伸され、該係合装置７１の長さは嵌合溝６１の長さより短く、並びに各組の位置制限凸塊６２、６３の分布間距と同じ間距で、両側に複数組の係止ブロック７２、７３が設けられ、且つ係合装置７１の両側の係止ブロック７２、７３の幅は嵌合溝６１の溝幅と同じとされる。
【００１０】
図５、６に示されるように、本考案は舵具７を組み付ける時、嵌合溝６１の溝幅が係合装置７１の両側の係止ブロック７２、７３の幅と同じであるため、係合装置７１の係止ブロック７２、７３の位置が嵌合溝６１の位置制限凸塊６２、６３のない部分に対応させられて、係合装置７１が嵌合溝６１中に挿入され、且つ両側の係止ブロック７２、７３が嵌合溝６１の下方の位置制限凸塊６２、６３より低い位置に置かれる。
【００１１】
図７、８に示されるように、続いて舵具７が後方に押動され、嵌合溝６１の溝幅が係合装置７１の両側の係止ブロック７２、７３の幅と同じであることから、後方に押動される時、係合装置７１及び両側の係止ブロック７２、７３が緊密に組み合わされる方式で後ろ向きに嵌合溝６１の後端に滑入する。この時、係止ブロック７２、７３は位置制限凸塊６２、６３の下方に位置し、並びに位置制限凸塊６２、６３の面接触方式の圧接を受け、外向きに脱出せず、且つ係合装置７１及び両側の係止ブロック７２、７３が緊密に組み合わされる方式で嵌合溝６１内に嵌合され、僅かに力を加えることで押動し、これにより押動され位置決めされた後、大きな外力がなければ、係合装置７１が前向きにスライドして係止より離脱することがなく、また水流の方向は前より後ろに流動するため、係合装置７１が前向きに係止を離脱することがなく、ゆえに舵具７が強固にサーフボードの底部に位置決めされ、且つ工具を使用せずに快速組付け可能な実用効果を達成する。
【００１２】
図９に示されるように、反対に分解時にも工具不要で、使用者は舵具７を反対に前向きに押動させることで係合装置７１の両側の係止ブロック７２、７３を位置制限凸塊６２、６３の係止より離脱させて舵具７を取り外すことができ、収納、携帯に便利である。
【００１３】
総合すると、本考案は実用性と進歩性を具え、且つ同じ製品及び刊行物は未公開であり、実用新案登録の要件を満たしている。
【図面の簡単な説明】
【００１４】
【図１】周知のサーフボードの舵具組付け装置の表示図である。
【図２】特許文献１の構造表示図である。
【図３】本考案の部品分解図である。
【図４】本考案の係止装置と舵具の表示図である。
【図５】本考案の舵具のサーフボードへの組付けの動作表示図（一）である。
【図６】図５の別方向の断面図である。
【図７】本考案の舵具のサーフボードへの組付けの動作表示図（二）である。
【図８】図７の別方向の断面図である。
【図９】本考案の舵具着脱の表示図である。
【符号の説明】
【００１５】
１  サーフボード                １１  受け孔
２  舵具                        ２１  嵌合ブロック
３  位置決め装置                ３１  挿入溝
３２  ネジ孔                    ４  ボルト
５  サーフボード                ５１  受け孔
６  係止装置                    ６１  嵌合溝
６２  位置制限凸塊              ６３  位置制限凸塊
７  舵具                        ７１  係合装置
７２  係止ブロック              ７３  係止ブロック
【図１】
0003109821.tif 000003
【図２】
0003109821.tif 000004
【図３】
0003109821.tif 000005
【図４】
0003109821.tif 000006
【図５】
0003109821.tif 000007
【図６】
0003109821.tif 000008
【図７】
0003109821.tif 000009
【図８】
0003109821.tif 000010
【図９】
0003109821.tif 000011